(57)【要約】【課題】冷媒の熱を効率よく放熱する放熱パイプを備えた冷蔵庫を提供する。【解決手段】冷蔵庫１には、圧縮機と凝縮器と放熱パイプ２７とキャビネットパイプとキャピラリーチューブと冷却器とを配管によって接続した冷媒回路が設けられている。放熱パイプ２７は、互いに繋がっている側面板３ｃおよび背面板３ｂの２面にわたって配置されている。放熱パイプ２７は、上流管２８と下流管２９とによって構成される。上流管２８は、側面板３ｃにおける前面側３ａに縦方向に配置されている。下流管２９は、冷媒を上方に向けて流すことなく、下方または横方向に流す態様で配置されている。【選択図】図４
2017078539.tif 000002
【特許請求の範囲】
【請求項１】
複数の貯蔵室を収容し、前面側に前記貯蔵室の扉を有する筐体と、
前記筐体内に配置され、圧縮機、凝縮器、放熱パイプおよび冷却器を含み、冷媒が循環する冷凍サイクルと
を有し、
前記筐体は、
前記扉と対向するように背面側に配置された背面板と、
前記扉と前記背面板とが対向する方向と交差する方向に互いに対向するように配置された第１側面板および第２側面板と
を含み、
前記放熱パイプは、
前記凝縮器に接続されて、前記第１側面板における前記前面側に縦方向に配置され、前記第１側面板の下部から上部へ向かって冷媒を流す上流管と、
前記上流管に接続されて、前記第１側面板を含む、前記筐体の少なくとも２面にわたって配置され、前記第１側面板の前記上部に送られた冷媒を前記筐体の下部へ向かって流す下流管と
を備えた、冷蔵庫。
【請求項２】
前記貯蔵室は、
第１温度に設定される第１貯蔵室と、
前記第１温度よりも低い第２温度に設定される第２貯蔵室と
を含み、
前記下流管では、前記第２貯蔵室の側方に配置される前記下流管の長さは、前記第１貯蔵室の側方に配置される前記下流管の長さよりも短い、請求項１記載の冷蔵庫。
【請求項３】
前記放熱パイプは、前記第１側面板および前記背面板に面接触する平面部を含む、請求項１または２に記載の冷蔵庫。
【請求項４】
前記放熱パイプと前記第１側面板および前記背面板との間に、熱伝導性の粘性流体および硬化型流体のいずれかを介在させた、請求項１または２に記載の冷蔵庫。
【請求項５】
前記下流管は、横方向に延在する横向き管を含む、請求項１〜４のいずれか１項に記載の冷蔵庫。
【請求項６】
前記下流管は、前記第１側面板および前記背面板にわたって配置された、請求項１〜５のいずれか１項に記載の冷蔵庫。
【請求項７】
前記下流管は、さらに前記第２側面板にわたって配置された、請求項６記載の冷蔵庫。
【発明の詳細な説明】
【技術分野】
【０００１】
本発明は冷蔵庫に関し、特に、放熱パイプを備えた冷蔵庫に関するものである。
【背景技術】
【０００２】
冷蔵庫では、冷凍サイクルを利用して、冷蔵庫の複数の貯蔵室内の温度がそれぞれ所定の温度に冷却される。冷凍サイクルは、圧縮機、凝縮器、放熱パイプ、キャビネットパイプ、キャピラリーチューブおよび冷却器等を配管によって互いに接続した冷媒回路によって構成される。このような冷蔵庫を開示した特許文献の一例として、たとえば、特許文献１がある。
【０００３】
配管内の冷媒は、まず、圧縮機によって圧縮されて、高温・高圧の冷媒になる。高温・高圧となった冷媒は、凝縮器、放熱パイプおよびキャビネットパイプを順に流れる。冷媒が流れる間に、冷媒の熱が放熱される。放熱された冷媒は、キャピラリーチューブに流れ込み、減圧されて低温・低圧の冷媒となる。低温・低圧となった冷媒は冷却器へ流れ込み、流れ込んだ冷媒と冷蔵庫の貯蔵室内の空気とで熱交換が行われる。熱交換が行われた冷媒は、圧縮機へ流れ込み再び圧縮される。以下、そのサイクルが繰り返されることで、庫内の温度が所望の温度に保たれる。
【先行技術文献】
【特許文献】
【０００４】
【特許文献１】特開２００３−２０７２５３号公報
【発明の概要】
【発明が解決しようとする課題】
【０００５】
冷蔵庫では、冷媒回路の放熱パイプは、冷蔵庫の筐体となる側面板等の内側に配置されている。放熱パイプを流れる冷媒の熱は、その側面板等を介して外部へ放熱される。冷媒が放熱される間に、液化する冷媒の割合が増えることになる。
【０００６】
このとき、たとえば、上に向かって冷媒が流れるように配置された放熱パイプ内では、液化した冷媒が流れにくくなって、冷媒が滞留することがある。液化した冷媒が放熱パイプ内で滞留すると、気体の冷媒と放熱パイプ（内壁面）との接触面積が少なくなり、冷媒の熱が効率よく放熱されなくなってしまうことがある。
【０００７】
本発明は、上記問題点を解決するためになされたものであり、その目的は、冷媒の熱を効率よく放熱する放熱パイプを備えた冷蔵庫を提供することである。
【課題を解決するための手段】
【０００８】
本発明に係る冷蔵庫は、筐体と冷凍サイクルとを有している。筐体は、複数の貯蔵室を収容し、前面側に貯蔵室の扉を有する。冷凍サイクルは、筐体内に配置され、圧縮機、凝縮器、放熱パイプおよび冷却器を含み、冷媒が循環する。筐体は、背面板と、第１側面板および第２側面板とを含む。背面板は、扉と対向するように背面側に配置されている。第１側面板および第２側面板は、扉と背面板とが対向する方向と交差する方向に互いに対向するように配置されている。放熱パイプは、上流管と下流管とを備えている。上流管は、凝縮器に接続されて、第１側面板における前面側に縦方向に配置され、第１側面板の下部から上部へ向かって冷媒を流す。下流管は、上流管に接続されて、第１側面板を含む、筐体の少なくとも２面にわたって配置され、第１側面板の上部に送られた冷媒を筐体の下部へ向かって流す。
【発明の効果】
【０００９】
本発明に係る冷蔵庫によれば、放熱パイプが、上流管と下流管とを備え、上流管によって第１側面板の上部へ送られた冷媒を、下流管によって、冷媒を上へ向けて流すことなく、筐体の下部へ向けて流すことができる。これにより、放熱パイプを流れる冷媒の熱を効率よく放熱させることができる。
【図面の簡単な説明】
【００１０】
【図１】実施の形態１に係る、前面側から見た冷蔵庫の斜視図である。
【図２】同実施の形態において、冷蔵庫の冷凍サイクルを示す図である。
【図３】同実施の形態において、背面側から見た冷蔵庫の斜視図である。
【図４】同実施の形態において、冷蔵庫における放熱パイプの配置構造を示す斜視図である。
【図５】同実施の形態において、図４に示される放熱パイプを示す斜視図である。
【図６】同実施の形態において、放熱パイプの筐体への取り付け態様を示す部分断面図である。
【図７】比較例に係る冷蔵庫の放熱パイプを示す斜視図である。
【図８】比較例に係る冷蔵庫の放熱パイプを示す側面図である。
【図９】実施の形態２に係る冷蔵庫における放熱パイプの配置構造を示す斜視図である。
【図１０】同実施の形態において、図９に示される放熱パイプを示す斜視図である。
【図１１】同実施の形態において、変形例に係る冷蔵庫の放熱パイプの配置構造を示す第１の斜視図である。
【図１２】同実施の形態において、変形例に係る冷蔵庫の放熱パイプの配置構造を示す第２の斜視図である。
【図１３】各実施の形態において、放熱パイプの筐体への取り付け態様の一変形例を示す部分断面図である。
【図１４】各実施の形態において、放熱パイプの筐体への取り付け態様の他の変形例を示す部分断面図である。
【図１５】各実施の形態において、図１３に示される放熱パイプの筐体への取り付け態様の一変形例の場合の、放熱パイプを流れる冷媒を示す部分断面図である。
【図１６】各実施の形態において、図１４に示される放熱パイプの筐体への取り付け態様の他の変形例の場合の、放熱パイプを流れる冷媒を示す部分断面図である。
【発明を実施するための形態】
【００１１】
実施の形態１
ここでは、筐体の側面板と背面板との２面に放熱パイプが配置された冷蔵庫の一例について説明する。
【００１２】
図１に示すように、冷蔵庫１では、筐体３内に、貯蔵室として、たとえば、冷蔵室５、製氷室７、切替え室９、冷凍室１１および野菜室１３が収容されている。冷蔵室５は筐体３内の上部に配置され、野菜室１３は筐体３内の下部に配置されている。冷蔵室５と野菜室１３との間に、製氷室７、切替え室９および冷凍室１１が配置されている。なお、貯蔵室の配置関係は、一例であって、これに限られるものではない。
【００１３】
冷蔵室５は、庫内に収容された物が凍らない程度の温度に設定される貯蔵室である。製氷室７は、庫内の製氷機によって製造された氷を保存する貯蔵室である。切替え室９は、用途に応じて温度帯を切り換えることができる貯蔵室である。冷凍室１１は、庫内に収容された物を凍らせる冷凍温度に設定される貯蔵室である。野菜室１３は、主に野菜を収容する貯蔵室である。
【００１４】
筐体３の前面側３ａには、冷蔵室５の観音開き式の扉６ａおよび扉６ｂが設けられている。また、筐体３の前面側３ａには、製氷室７、切替え室９、冷凍室１１および野菜室１３のそれぞれの引き出し式の扉８、１０、１２、１４が設けられている。
【００１５】
筐体３は、背面板３ｂ、側面板３ｃ、３ｄおよび上面板３ｅを含む部材によって構成される。背面板３ｂ、側面板３ｃ、３ｄおよび上面板３ｅは、たとえば、鉄板等の金属板から形成されている。背面板３ｂは、前面側３ａ（扉６ａ等）と対向するように配置されている。側面板３ｃおよび側面板３ｄは、扉と背面板３ｂとが対向する方向と交差する方向に互いに対向するように配置されており、それぞれ背面板３ｂと繋がっている。上面板３ｅは、筐体３の上部に配置されている。
【００１６】
次に、冷蔵庫１内に設けられた冷凍サイクル（冷媒回路）について説明する。図２に示すように、冷蔵庫１には、圧縮機２１と凝縮器２３と放熱パイプ２７とキャビネットパイプ３１とキャピラリーチューブ３５と冷却器３７（蒸発器）とを配管によって接続した冷媒回路２０が設けられている。
【００１７】
圧縮機２１は、冷媒を圧縮して高温・高圧の冷媒にする。図３に示すように、圧縮機２１は、冷蔵庫１の筐体３内における背面板３ｂ側の下部に配置されている。凝縮器２３は、高温・高圧の冷媒を放熱させる。凝縮器２３も、冷蔵庫１の筐体３内における背面板３ｂ側の下部（機械室）に配置されている。
【００１８】
凝縮器２３の側方には、ファン２５が配置されている。ファン２５によって凝縮器２３に空気を送り込むことで、凝縮器２３での放熱が促進される。さらに、凝縮器２３の側方に位置する側面板３ｃの部分には、空気の流通を促進させるための吸気スリット１９が設けられている。また、凝縮器２３の近傍には、露を受けるドレンパン１７が配置されている。なお、筐体３の上部には、冷媒回路による一連の冷却動作等を制御する本体基板１５が配置されている。
【００１９】
放熱パイプ２７は、冷媒をさらに放熱させる。放熱パイプ２７の一端側（上流側）は凝縮器２３の出口側に繋がっている。後述するように、放熱パイプ２７は、側面板３ｃおよび背面板３ｂに配置されている（図４参照）。キャビネットパイプ３１は、冷蔵庫１の前面側３ａに配置されて、扉付近に露が付着するのを防止する。キャビネットパイプ３１の一端側（上流側）は、放熱パイプ２７の他端側（下流側）に繋がっている。
【００２０】
ドライヤ３３は、冷媒に含まれる水分等を除去する。ドライヤ３３の一端側（上流側）は、キャビネットパイプ３１の他端側（下流側）に繋がっている。キャピラリーチューブ３５は、冷媒を減圧する。キャピラリーチューブ３５の一端側（上流側）はドライヤ３３の他端側（下流側）に繋がっている。
【００２１】
冷却器３７は、冷蔵庫１の貯蔵室内の空気と冷媒との間で熱交換を行うことによって、貯蔵室内を冷却する。冷却器３７の一端側（上流側）は、キャピラリーチューブ３５の他端側（下流側）に繋がっている。冷却器３７の他端側（下流側）は、圧縮機２１に繋がっている。また、冷却器３７から圧縮機２１に向かって流れる冷媒と、キャピラリーチューブ３５を流れる冷媒との間で熱交換を行う熱交換部３９が設けられている。冷蔵庫１の冷凍サイクル（冷媒回路）は、上記のように構成される。
【００２２】
次に、冷凍サイクルにおける放熱パイプの配置構造について説明する。図４および図５に示すように、放熱パイプ２７は、互いに繋がっている側面板３ｃおよび背面板３ｂの２面にわたって配置されている。放熱パイプ２７は、上流管２８と下流管２９とによって構成される。上流管２８は、側面板３ｃにおける前面側３ａに縦方向に配置されている（図５の点線枠内参照）。上流管２８は、凝縮器２３に接続された放熱パイプ２７が上がりきったところまでの部分をいう。なお、図４では、放熱パイプ２７の配置構造を示すために、放熱パイプ２７は実線で示されている。
【００２３】
下流管は２９は、上流管２８から送り出される冷媒を、筐体３の下部に向けて流すよう配置されている（図５の点線枠内参照）。具体的には、下流管２９は、冷媒を上方に向けて流すことなく、下方または横方向に流す態様で配置されている。上流管２８が、側面板３ｃにおける前面側３ａに配置されていることで、下流管２９を側面板３ｃと背面板３ｂとの２面に容易に配置することができる。図６に示すように、放熱パイプ２７は、側面板３ｃおよび背面板３ｂのそれぞれの内壁面に、たとえば、アルミニウムテープ４１によって固定されている。
【００２４】
上述した冷蔵庫１では、上流管２８と下流管２９とを備えた放熱パイプ２７が配置されていることで、冷媒の熱を効率的に放熱させることができる。このことについて、比較例に係る冷蔵庫と比べて説明する。
【００２５】
比較例に係る冷蔵庫として、図７に、放熱パイプ１２７が、筐体の側面板１０３ｃおよび上面板１０３ｅの２面にわたって配置されている冷蔵庫１０１を示す。また、図８に、放熱パイプ１２７が、筐体の側面板１０３ｃにだけ配置されている冷蔵庫１０１を示す。比較例に係る冷蔵庫１０１では、凝縮器（図示せず）から放熱パイプ１２７に送られた冷媒は、筐体１０３の上部に向けて流れた後、一旦、筐体１０３の下部へ流れ、さらに、筐体１０３の上部に向けて流れることになる。
【００２６】
このとき、たとえば、冷媒の流速が遅い場合、または、気相の冷媒と液相の冷媒との割合等の冷媒の状態によっては、筐体１０３の下部に一旦流れ込んだ冷媒を、再び筐体１０３の上部へ向けて流すことが難しくなり、冷媒が逆流するなどして、筐体１０３の下部に位置する放熱パイプ１２７の部分に、冷媒が滞留してしまうことがある。このため、気相の冷媒が放熱パイプ１２７の内壁面と接触する部分が少なって、冷媒の放熱を十分に行うことができなくなることがある。
【００２７】
比較例に係る冷蔵庫１０１に対して実施の形態に係る冷蔵庫１では、放熱パイプ２７は、上流管２８と下流管２９とによって構成される。このため、上流管２８を流れて筐体３の上部に送られた冷媒は、下流管２９を、上方に向かって流れることなく、下方または横方向に流れて、筐体３の下部に送られることになる。これにより、放熱パイプ２７内において、冷媒が逆流するのを抑制することができる。また、冷媒が滞留するのを抑制することができる。その結果、気相の冷媒が放熱パイプ２７の内壁面と接触する面積が確保されて、冷媒の熱を確実に放熱させることができる。
【００２８】
実施の形態２
ここでは、筐体の互いに対向する２つの側面板と背面板との３面に放熱パイプが配置された冷蔵庫の一例について説明する。
【００２９】
図９および図１０に示すように、放熱パイプ２７は、側面板３ｃ、背面板３ｂおよび側面板３ｄの３面にわたって配置されている。放熱パイプ２７は、上流管２８と下流管２９とによって構成される。上流管２８は、側面板３ｃにおける前面側３ａに縦方向に配置されている（図１０の点線枠内参照）。
【００３０】
下流管２９は、冷媒を上方に向けて流すことなく、下方または横方向に流す態様で、側面板３ｃ、背面板３ｂおよび側面板３ｄに配置されている（図１０の点線枠内参照）。上流管２８が、側面板３ｃにおける前面側３ａに配置されていることで、下流管２９を側面板３ｃ、背面板３ｂおよび側面板３ｄとの３面に容易に配置することができる。なお、これ以外の構成については、図１等に示す冷蔵庫１と同様なので、同一部材には同一符号を付し、必要である場合を除きその説明を繰り返さないこととする。
【００３１】
上述した冷蔵庫１では、放熱パイプ２７は、上流管２８と下流管２９とによって構成される。このため、上流管２８を流れて筐体３の上部に送られた冷媒は、下流管２９を、上方に向かって流れることなく、下方または横方向に流れて、筐体３の下部に送られることになる。これにより、放熱パイプ２７内における冷媒の逆流あるいは冷媒の滞留を抑制することができる。しかも、下流管２９は、側面板３ｃ、背面板３ｂおよび側面板３ｄの３面にわたって配置されていることで、冷媒の熱を、さらに効率よく放熱させることができる。
【００３２】
（第１変形例）
図１１および図１２に示すように、第１変形例に係る冷蔵庫１では、貯蔵室のうち、冷凍室１１および切替え室１０の側方に配置される放熱パイプ２７ａの長さが、冷蔵室５または野菜室１３の側方に配置される放熱パイプ２７の長さよりも短くなるように、放熱パイプ２７（下流管２９）が配置されている。なお、これ以外の構成については、図１等に示す冷蔵庫と同様なので、同一部材には同一符号を付し、必要である場合を除きその説明を繰り返さないこととする。
【００３３】
前述したように、冷蔵庫１では、筐体３内に、貯蔵室として、冷蔵室５、製氷室７、切替え室９、冷凍室１１および野菜室１３が収容されている。貯蔵室では、収容される物に応じて温度が設定される。たとえば、冷蔵室５では、温度は５℃程度に設定され、冷凍室１１および製氷室７では、温度は−１８℃程度に設定される。また、野菜室１３では、温度は１０℃程度に設定される。切替え室は９では、温度は、０℃程度または−７℃程度の温度に切り替え可能とされる。
【００３４】
放熱パイプ２７の周辺では、放熱パイプ２７を流れる冷媒の熱が放熱されることで、温度が上昇する。周辺に放出された熱は各貯蔵室へ流れ込むことがあり、流れ込んだ熱は、その貯蔵室内の温度を上昇させる要因となる。
【００３５】
第１変形例に係る冷蔵庫では、設定温度が相対的に低い冷凍室１１および切替え室１０の側方に配置される放熱パイプ２７ａの長さは、設定温度が相対的に高い冷蔵室５および野菜室１３の側方に配置される放熱パイプ２７の長さよりも短くなるように、放熱パイプ２７が配置されている。
【００３６】
これにより、放熱パイプ２７を流れる冷媒から放熱される熱が、冷凍室１１および切替え室１０へ流れ込む量を抑えることができ、冷凍室１１等内の温度が上昇するのを抑制することができる。その結果、無駄な電力の消費を抑制することができる。なお、図１１および図１２では、冷凍室１１等の側方の側面板３ｄに配置される放熱パイプ２７ａ（下流管２９）について、その長さを短くした場合が示されているが、冷凍室１１等の側方の側面板３ｃに配置される下流管２９についても、その長さを短くしてもよい。
【００３７】
（第２変形例）
実施の形態１および実施の形態２では、放熱パイプ２７は、筐体３（側面板３ｃ、３ｄ、背面板３ｂ）の内壁面に、アルミニウムテープ４１によって固定されている場合を例に挙げて説明した。この場合、放熱パイプ２７の断面形状は円形であり、筐体３の内壁面に対して、放熱パイプ２７は線接触することになる。
【００３８】
放熱パイプ２７を流れる冷媒の熱を効率的に放熱させるためには、たとえば、図１３に示すように、放熱パイプとして、断面が円形の放熱パイプ２７の一部に加工を施して平面部４３を形成した放熱パイプ２７を適用してもよい。放熱パイプ２７の平面部４３を筐体３の内壁面に接触させることで、放熱パイプ２７は筐体３の内壁面に面接触することになる。これにより、線接触させる場合よりも、冷媒の熱をより効率的に放熱させることができる。
【００３９】
また、図１４に示すように、放熱パイプ２７に加工を施すことなく、放熱パイプ２７を、たとえば、金属粉入りの接着剤４５によって、筐体３の内壁面に取り付けてもよい。この場合には、放熱パイプ２７と筐体３の内壁面とが接触している箇所を覆うように、放熱パイプと筐体３の内壁面との隙間に接着剤４５が充填される。
【００４０】
これにより、線接触させる場合よりも、冷媒の熱をより効率的に放熱させることができる。なお、接着剤としては、金属粉入りの接着剤４５に限られず、たとえば、セラミック粉入りの接着剤を使用してもよく、それぞれ熱伝導性の高い粘性流体または熱硬型流体を用いることができる。
【００４１】
また、実施の形態１、２において説明したように、下流管２９は、筐体３の上部に送られた冷媒が、上方に向かって流れることなく、下方または横方向に流れて、筐体３の下部に送られるように配置されている。これにより、図１５または図１６に示すように、冷媒が横方向に流れるように、下流管２９が略水平方向に配置されている部分の放熱パイプ２９内では、放熱パイプ２９内の下部に液相の冷媒５１が位置し、その上部に気相の冷媒５３が位置することになる。これにより、気相の冷媒の熱を効率よく放熱させることができる。これは、断面が円形の放熱パイプ２７をアルミニウムテープ４１によって筐体３に固定した場合（図６参照）についても、同様である。
【００４２】
なお、各実施の形態において説明した冷蔵庫については、必要に応じて種々組み合わせることが可能である。
【００４３】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００４４】
本発明は、放熱パイプを備えた冷蔵庫に有効に利用される。
【符号の説明】
【００４５】
１  冷蔵庫、３  筐体、３ａ  前面側、３ｂ  背面板、３ｃ、３ｄ  側面板、３ｅ  上面板、５  冷蔵室、６ａ、６ｂ  扉、７  製氷室、８  扉、９  切替え室、１０  扉、１１  冷凍室、１２  扉、１３  野菜室、１４  扉、１５  本体基板、１７  ドレンパン、１９  吸気スリット、２０  冷凍回路、２１  圧縮機、２３  凝縮器、２５  ファン、２７  放熱パイプ、２８  上流管、２９  下流管、２９ａ  横向き管、３１  キャビネットパイプ、３３  ドライヤ、３５  キャピラリーチューブ、３７  冷却器、３９  熱交換部、４１  アルミニウムテープ、４３  平面部、４５  粘性接着剤、５１  液相の冷媒、５３  気相の冷媒。 
【図１】
2017078539.tif 000003
【図２】
2017078539.tif 000004
【図３】
2017078539.tif 000005
【図４】
2017078539.tif 000006
【図５】
2017078539.tif 000007
【図６】
2017078539.tif 000008
【図７】
2017078539.tif 000009
【図８】
2017078539.tif 000010
【図９】
2017078539.tif 000011
【図１０】
2017078539.tif 000012
【図１１】
2017078539.tif 000013
【図１２】
2017078539.tif 000014
【図１３】
2017078539.tif 000015
【図１４】
2017078539.tif 000016
【図１５】
2017078539.tif 000017
【図１６】
2017078539.tif 000018
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
複数の貯蔵室を収容し、前面側に前記貯蔵室の扉を有する筐体と、
前記筐体内に配置され、圧縮機、凝縮器、放熱パイプおよび冷却器を含み、冷媒が循環する冷凍サイクルと
を有し、
前記筐体は、
前記扉と対向するように背面側に配置された背面板と、
前記扉と前記背面板とが対向する方向と交差する方向に互いに対向するように配置された第１側面板および第２側面板と
を含み、
前記放熱パイプは、
前記凝縮器に接続されて、前記第１側面板における前記前面側に縦方向に配置され、前記第１側面板の下部から上部へ向かって冷媒を流す上流管と、
前記上流管に接続されて、前記第１側面板を含む、前記筐体の少なくとも２面にわたって配置され、前記第１側面板の前記上部に送られた冷媒を前記筐体の下部へ向かって流す下流管と
を備えた、冷蔵庫。
【請求項２】
前記貯蔵室は、
第１温度に設定される第１貯蔵室と、
前記第１温度よりも低い第２温度に設定される第２貯蔵室と
を含み、
前記下流管では、前記第２貯蔵室の側方に配置される前記下流管の長さは、前記第１貯蔵室の側方に配置される前記下流管の長さよりも短い、請求項１記載の冷蔵庫。
【請求項３】
前記放熱パイプは、前記第１側面板および前記背面板に面接触する平面部を含む、請求項１または２に記載の冷蔵庫。
【請求項４】
前記放熱パイプと前記第１側面板および前記背面板との間に、熱伝導性の粘性流体および硬化型流体のいずれかを介在させた、請求項１または２に記載の冷蔵庫。
【請求項５】
前記下流管は、横方向に延在する横向き管を含む、請求項１〜４のいずれか１項に記載の冷蔵庫。
【請求項６】
前記下流管は、前記第１側面板および前記背面板にわたって配置された、請求項１〜５のいずれか１項に記載の冷蔵庫。
【請求項７】
前記下流管は、さらに前記第２側面板にわたって配置された、請求項６記載の冷蔵庫。
【請求項８】
前記下流管は、前記第１側面板、前記背面板および前記第２側面板を含む、前記筐体の３面にわたり配置された、請求項１〜５のいずれか１項に記載の冷蔵庫。